(57)【要約】  【課題】扉内側の食品収納性を高め、握り易いバーハンドルであり、開扉力が小さく、使い勝手の良い扉装置を提供する。  【解決手段】観音開式の扉３８，３９の裏面周縁に設けた第１のガスケット５３と、扉側板４４，４５内と保持部４６，４７内に収納されて、お互いに斜面形状６６，６７、６２，６３部で組み合わされた第２のガスケット４２，４３と、手掛かり部６５と支持部５８，５９で構成されたバーハンドルが設けられた状態で、軽い力で扉３８、３９を動作させることにより、断熱箱体３６と扉３８，３９間および扉３８，３９相互間を簡素な構成で確実に密着，密着解除する。【選択図】図４
2005344961.tif 000002
【特許請求の範囲】
【請求項１】
箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えた扉装置で、前記扉開時、前記扉に備えられ扉の非枢支側に形成されたバーハンドルと連動して前記第２のガスケットの密着状態を解除することを特徴とする扉装置を備えた冷蔵庫。
【請求項２】
バーハンドルは操作のための手掛り部と、バーハンドルを支持する支持部からなり、前記支持部に設けられた斜面形状と、第２のガスケットの基部に設けられた斜面形状が互いに向き合い組み合わされた構成とすることを特徴とする請求項１に記載の扉装置を備えた冷蔵庫。
【請求項３】
バーハンドルの位置を操作前の位置に戻す弾性部材を設けたことを特徴とする請求項１または２に記載の扉装置を備えた冷蔵庫。
【請求項４】
第２のガスケットの位置を操作前の位置に戻す弾性部材を設けたことを特徴とする請求項１から３のいずれか一項に記載の扉装置を備えた冷蔵庫。
【請求項５】
バーハンドル支持部の斜面形状先端に突起形状を設けることで、動作時に第２のガスケット基部斜面形状との保持構成を確立できる構成を特徴とする請求項２に記載の扉装置を備えた冷蔵庫。
【請求項６】
第２のガスケットの基部に第２のガスケットを回動させる回動軸を設けたことを特徴とする請求項２から５のいずれか一項に記載の扉装置を備えた冷蔵庫。
【発明の詳細な説明】
【技術分野】
【０００１】
本発明は、箱体の開口を密閉，開放させる扉装置を備えた冷蔵庫に関するものである。
【背景技術】
【０００２】
近年、冷蔵庫においては大型化に伴い、貯蔵室の開口部を二枚の扉によって開閉する、いわゆる観音開き式の扉装置を採用したものが供されている。従来の観音開き式の扉を有する冷蔵庫は両扉の裏面に設けたガスケットによって庫内を気密に保つため、扉の非枢支側に位置するガスケットが当接する面を形成しなければならず、そのため断熱箱体の開口部を区画する閉塞材を取り付けていた（例えば、特許文献１参照）。
【０００３】
図７〜１０は、特許文献１に記載された従来の冷蔵庫の扉装置を示すものである。図７は従来の冷蔵庫の斜視図である。図８は従来の冷蔵庫の庫内正面図である。図９は、従来の冷蔵庫の開口部平面断面図である。図１０は、従来の冷蔵庫の扉の斜視図である。
【０００４】
図７から図１０において１は冷蔵庫であり、鋼板製の外箱２と合成樹脂を形成して成る内箱３と、両箱２，３間に充填される図示しない発泡断熱材とから前方に開口した断熱箱体４を構成し、この断熱箱体４の開口部５の左右縁部に上下ヒンジ６により回動自在に枢支された二枚の観音開き式扉７，８によって開口部５を開閉自在に構成している。
【０００５】
扉７，８のそれぞれの非枢支側に位置する部分で、断熱箱体の開口部５の縁部の上下にはガイド部材９がそれぞれ相対向して設けられている。ガイド部材９内には案内溝１０が形成されている。
【０００６】
扉内板１１，１２にはそれぞれ左右一対の縦壁１３，１４が形成され、また、枠部材１５，１６端部の溝１７，１８には磁石内蔵のガスケット１９が取り付けられ、そのヒレ２０は非枢支側の縦壁１３，１４にそれぞれ密接する。ガスケット１９は扉７，８の閉塞時に断熱箱体４の開口５の外箱２前縁に着磁して庫内２１をシールする。
【０００７】
さらに扉７の裏面の非枢支側に位置するガスケット１９より内側の縦壁１３の外側には断面略矩形状の仕切体２２が取り付けられる。２３はヒンジ板であり、縦壁１３の外側面において上下二箇所、断熱材側の補強板２３ａにネジ２４にて固定され、仕切体２２はこのヒンジ板２３の回動軸２５に回動自在に支持されている。
【０００８】
さらに仕切体２２の上下端には係合部として突起２６が上下方向にそれぞれ突出形成されている。ヒンジ板２３は仕切体２２の扉７側の後縁部に上下二箇所形成した切欠部２７より仕切体２２内に挿入されてそこに回動軸２５を位置せしめており、この回動軸２５にはコイルバネから成るバネ部材２８が挿通され、一端をヒンジ板２３に、また、他端を回動軸２５から離間した仕切体２２内の爪２９にそれぞれ係合しており、その復元力により仕切体２２を常時図７中矢印如く時計回りに回動する様構成されている。
【０００９】
以上のように構成された従来の扉装置について、以下その動作を説明する。
【００１０】
まず仕切体２２は扉７が開放された状態でバネ部材２８の復元力によって図９中破線で示す如く、扉内板１１の縦壁１３外側面に沿ってネジ２４に当接した状態で保持されている。この初期状態において使用者の手が誤って仕切体２２に当たって図９中反時計回りに回動させられても、バネ部材２８によって初期状態に復帰できる。
【００１１】
次に扉７を閉じていくと、やがて仕切体２２の突起２６が案内溝１０内に進入して案内溝１０内の曲面に沿って摺動し、それに伴い仕切体２２は回動軸２５を中心にバネ部材２８に抗して反時計回りに回動され、突起２６は案内溝１０の奥部に進入して行く。逆に扉７を開ける場合は突起２６が案内溝１０内の曲面に沿って摺動しバネ部材２８の復元力によって時計回りに回動させられ、やがて初期状態に復帰する。
【００１２】
このようにして、扉７の開閉に合わせて仕切体２２を回動させてガスケット１９とのシールを確実に行え、扉７，８の間の開口部５側に固定された仕切体を設ける必要がないので開口部５の間口が広く使える。
【特許文献１】特開平１−２０８６９０号公報
【発明の開示】
【発明が解決しようとする課題】
【００１３】
しかしながら、上記従来の構成は仕切体３１が扉７の縦壁２４の外側に取り付けられ両扉７，８の閉扉時にはガスケット２９により庫内３０の気密性は保たれるが、開扉時には仕切体３１が縦壁２４の外側を回動するため、回動するための空間を扉７，８内に設けなければならない。つまり縦壁２４，２５を扉の枢支側に移動させなければならない。このため扉７，８内の食品収納スペースが減少し食材収納においては使用者にとって使い勝手の悪い冷蔵庫となってしまう課題があった。
【００１４】
また、扉７の開閉時、仕切体３１は突起３７がガイド部材９の案内溝１０に沿って９０度回動して摺動するため、突起３７と案内溝１０の摩擦係数が大きくなりよって扉７の開扉力が大きくなり扉開閉においては使用者にとって使い勝手の悪い冷蔵庫となってしまう課題がある。さらには、使用者が扉を閉めたと思っても摩擦力とバネ部材３９の反発力により不完全な閉まり方になった場合には、庫内温度が上昇し食品鮮度を低下させるという課題もある。
【００１５】
本発明は従来の課題を解決するもので、扉内側の食品収納スペースを有効に確保し、食品収納量を上げるとともに、握りやすいバーハンドルによって開扉力が小さくなり、使い勝手の良い扉装置を提供することを目的とする。
【００１６】
また、上記他の従来の構成においては、扉４２，４３間のシールをするために別途仕切板を設ける必要がなく、食品収納スペースを侵害する問題は解消されるが、ガスケット４４，４５の相互の密着状態を確保するために扉４２，４３全体を外側に変位させる必要があり、そのためにヒンジ４６，４７の機構が複雑になって耐久信頼性が懸念されるほかコスト的にも高価につく。また、使用者が操作して扉４２，４３の全体を変位させるために操作感が重く使い勝手がよくないという課題があった。
【００１７】
本発明の他の目的は、耐久信頼性に優れコストの安価な仕切板を用いない扉装置を提供するとともに、使用者の操作性の向上を図ることである。
【課題を解決するための手段】
【００１８】
上記従来の課題を解決するために、本発明の扉装置を備えた冷蔵庫は、箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えた扉装置で、前記扉開時、前記扉に備えられ扉の非枢支側に形成されたバーハンドルが連動して前記第２のガスケットの密着状態を解除するとしたものである。
【００１９】
これによって、扉内側の食品収納スペースを有効に確保し、握りやすいバーハンドルによって開扉力が小さくなり、使い勝手の良い扉装置となり、使用者の操作性の向上を図ることができる。
【発明の効果】
【００２０】
本発明の扉装置を備えた冷蔵庫は、扉内側の食品収納スペースを有効に確保し、食品収納量を上げるとともに、握りやすいバーハンドルによって開扉力が小さくなり、使い勝手の良い扉装置となり、使用者の操作性の向上を図ることができる。
【発明を実施するための最良の形態】
【００２１】
請求項１に記載の発明は、箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えた扉装置で、前記扉開時、前記扉に備えられ扉の非枢支側に形成されたバーハンドルと連動して前記第２のガスケットの密着状態を解除することにより、扉内側の食品収納スペースを有効に確保し、握りやすいバーハンドルによって開扉力が小さくなり、使い勝手の良い扉装置となる。
【００２２】
さらに開扉時のガスケットの吸着力を弱めさせて開くことができ、使用者に開くために異なった作業を要求しないのでごく自然に軽く観音開き式扉の開扉操作ができるものである。
【００２３】
請求項２に記載の発明は、請求項１に記載の発明において、バーハンドルは操作のための手掛り部と、バーハンドルを支持する支持部からなり、前記支持部に設けられた斜面形状と、第２のガスケットの基部に設けられた斜面形状が互いに向き合い組み合わされた構成とすることにより、バーハンドルと第２のガスケットの動作がスムーズに行え、使用者の操作性の向上を図ることができる。
【００２４】
請求項３に記載の発明は、請求項１または２に記載の発明において、バーハンドルの位置を操作前の位置に戻す弾性部材を設けたことを特徴とすることで、使用者が手からバーハンドルを離したとき弾性部材によってバーハンドルの手掛かり部と支持部も元の状態へもどるので、バーハンドルが邪魔になることがない。
【００２５】
請求項４に記載の発明は、請求項１から３のいずれか一項に記載の発明において、第２のガスケットの位置を操作前の位置に戻す弾性部材を設けたことを特徴とすることで、使用者が手からバーハンドルを離したとき弾性部材によってガスケットが元の状態へもどるので扉閉時に密着状態を復活することができる。
【００２６】
請求項５に記載の発明は、請求項２に記載の発明において、バーハンドル支持部の斜面形状先端に突起形状を設けることで、動作時に第２のガスケット基部斜面形状との保持構成を確立できる構成を特徴とすることで、バーハンドルを強く引いた状態で、バーハンドルの支持部が第２のガスケットの基部に設けられた斜面形状より外れることがなく、安定したバーハンドル構造を確立することができる。
【００２７】
請求項６に記載の発明は、請求項２から５のいずれか一項に記載の発明において、第２のガスケットの基部に第２のガスケットを回動させる回動軸を設けたことを特徴とすることで、バーハンドルの動作と連動して、第２のガスケットが回動軸を中心にスムーズに回転することで開扉力が小さくなり、使用者の操作性の向上を図ることができる。
【００２８】
以下、本発明の実施の形態について、図面を参照しながら説明する。なお、実施の形態によってこの発明が限定されるものではない。
【００２９】
（実施の形態１）
図１は、本発明の実施の形態１による冷蔵庫の外観正面図である。図２は、同実施の形態の冷蔵庫の庫内斜視図である。図３は、同実施の形態の扉装置の斜視図である。図４は、図１のＡ−Ａ線断面図である。図５は、扉を動作しガスケットが平行移動動作した時の図１のＡ−Ａ線断面図である。図６は、扉を動作しガスケットが回転動作した時の図１のＡ−Ａ線断面図である。
【００３０】
図１から図６において、３０は冷蔵庫本体であり、鋼板製の外箱３１と樹脂で形成された内箱３２と、両箱３１，３２間に充填される図示しない発泡断熱材とから前方に開口した断熱箱体３６を構成し、この断熱箱体３６の上部より複数の貯蔵室３３，３４，３５が形成されている。そして、最上部の冷蔵室３３は本実施の形態においては、左右縁部に上下ヒンジ３７により回動自在に枢支された二つの観音開き式扉３８，３９によって開閉自在に構成されている。
【００３１】
次に、扉３８，３９は扉外板４０，４１と、扉３８，３９の非枢支側の側面に取り付けられ第２のガスケット４２，４３を収納する略コの字形状をした扉側板４４，４５と、扉外板４０，４１に接して扉側板４４，４５に一体構成された略コの字形状をしたバーハンドル支持部収納の保持部４６，４７と、扉側板４４，４５の端部に設けられたフランジ４８，４９と、扉外板４０，４１の外周フランジとフランジ４８，４９に当接して成る扉内板５０，５１と、扉外板４０，４１と扉側板４４，４５及び扉内板５０，５１間にそれぞれ発泡充填された発泡断熱材５２とから構成されている。
【００３２】
図３において、扉３８，３９の裏面上下辺と扉３８，３９の枢支側の裏面縦辺には固定型の第１のガスケット５３が取付けられている。第２のガスケット４２，４３は扉側板４４，４５に沿って上下に亘る寸法で延在している。
【００３３】
また、第２のガスケット４２，４３は、マグネットが挿入され軟質部材で構成された吸着部５４，５５と、吸着部５４，５５を保持するために硬質部材で構成された基部５６，５７と、バーハンドル保持部５８，５９が動作した時の動作力を伝える伝動部６０，６１と、伝動部６０，６１に設けられたバーハンドル保持部５８，５９と組み合わさる斜面形状６２，６３とから構成されている。さらに扉側板４４，４５と基部５６，５７の間にバネ部材６４が設けられている。
【００３４】
また、バーハンドルは操作のための手掛かり部６５と、手掛かり部６５を支持する支持部５８，５９と、支持部５８，５９の先端部に第２のガスケットの伝動部６０，６１に設けられた斜面形状６２，６３と向かい合い平行に組み合わされた斜面形状６６，６７と、斜面形状６６，６７の面終点部に設けられ、バーハンドルの動作量を規制する突起形状６８，６９とによって構成されている。さらに、バーハンドル自体は扉側板４４，４５の保持部４６，４７内に収納されている。そして、保持部４６，４７と支持部５８，５９の間にバネ部材７０が設けられている。
【００３５】
また、扉側板４４，４５の端部に設けられたフランジ４８，４９と扉内板５０，５１の合わせ部にかぶせるようにサイドピース７１、７２が、扉側板４４，４５に沿って上下に亘る寸法で延在している。
【００３６】
図６において、第２のガスケット４２，４３は基部５６，５７がスムーズに動作するように回転軸７３を備えている。
【００３７】
以上のように構成された扉装置を備えた冷蔵庫について、以下その動作、作用を説明する。
【００３８】
図４のように観音開き式扉３８，３９が両方とも閉塞状態にあるときはバネ部材６４の復元力によって第２のガスケット４２，４３の表面は互いに密着状態となって冷蔵室３３をシールするし外気熱の侵入や冷気漏れを防止することができる。また、第２のガスケット４２，４３内に内蔵されたマグネットの接合により第２のガスケット４２，４３は互いに吸着状態となるため冷蔵室３３のシール性を高めることができる。
【００３９】
次に図５に示すように、扉３８を開けるために、矢印ａ方向に手掛かり部６５を引くと、手掛かり部６５に連動して支持部５８が矢印ａ方向に移動する。その時に、斜面形状６６と６２が接触し斜面に沿って第２のガスケットの伝動部６０が矢印ｂ方向に移動する。これにより、第２のガスケット４２，４３の表面は互いの密着状態が解除され、軽い力によって扉３８を開けることができる。さらに握りやすい円筒形状のバーハンドルであり、使用者に開くために異なった方向の作業を要求しないのでごく自然に軽く観音開き式扉の開扉操作ができるものである。さらに第２のガスケット４２，４３は互いの密着状態が強制的に解除されることにより扉開時において第２のガスケット４２，４３の表面が互いにこすれることがなくなり、ガスケットの耐久強度が向上する。また、ガスケット表面がこすれて静電気が発生し汚れが付着することもなくなる。また、こすれによる摩擦音の発生もなくなる。
【００４０】
また、手掛かり部６５をさらに引くと、突起形状６８が伝動部６０に当接してバーハンドルの動作を停止させることができる。これにより、過度な力で手掛かり部６５を引いても支持部５８が保持部４６内に収まりバーハンドルが安定した状態で保持される。
【００４１】
さらに、バネ部材６４と７０が設置されているため、手掛かり部６５から手を離すと復元力により支持部５８と第２のガスケット４２は元の状態に復元される。これにより、シール性が確保でき、安定したバーハンドル位置を確保できる。
【００４２】
また、図６に示すように、回転軸７３が第２のガスケット４２の基部５６に設けられることによって、支持部５８の動作に連動して、スムーズに第２のガスケット４２を動作させることができ、使用者の操作性の向上をさせることができる。また、回転軸７３からマグネットにより吸着している部分が伝動部６０より遠くにあるため、軽い力で密着状態を解除させることができるため、扉３８を開ける力が小さくてすむ。
【産業上の利用可能性】
【００４３】
以上のように、本発明にかかる扉装置を備えた冷蔵庫は、バーハンドル構造を用いた扉構造において、確実なシール性を確保しつつ、軽い力によって扉を開けることができ、安定したハンドル構造体確立が可能となるので、台所等でのバーハンドルを用いた食品収納扉や、あらゆる機密性が必要でなおかつ握りやすいバーハンドルを有する収納箱等の用途に適用できる。
【図面の簡単な説明】
【００４４】
【図１】本発明の実施の形態１における冷蔵庫の外観正面図
【図２】本発明の実施の形態１における冷蔵庫の庫内斜視図
【図３】本発明の実施の形態１における扉装置の裏面斜視図
【図４】図１のＡ−Ａ線断面図
【図５】本発明の実施の形態１における扉の開閉動作その１を示した図１のＡ−Ａ線断面図
【図６】本発明の実施の形態１における扉の開閉動作その２を示した図１のＡ−Ａ線断面図
【図７】従来の冷蔵庫の斜視図
【図８】従来の冷蔵庫の庫内正面図
【図９】従来の冷蔵庫の要部平面図
【図１０】従来の冷蔵庫の扉装置の斜視図
【符号の説明】
【００４５】
３０  冷蔵庫本体
３３  冷蔵室
３６  断熱箱体
３７  ヒンジ
３８，３９  扉
４２，４３  第２ガスケット
５３  第１ガスケット
５６，５７  基部
５８，５９  保持部
６２，６３、６６、６７  斜面形状
６４、７０  バネ部材
６５  手掛り部
６８，６９  突起形状
７３  回転軸
【図１】
2005344961.tif 000003
【図２】
2005344961.tif 000004
【図３】
2005344961.tif 000005
【図４】
2005344961.tif 000006
【図５】
2005344961.tif 000007
【図６】
2005344961.tif 000008
【図７】
2005344961.tif 000009
【図８】
2005344961.tif 000010
【図９】
2005344961.tif 000011
【図１０】
2005344961.tif 000012